(57)【要約】【課題】    構成が簡単でバリエーションの幅が広いマグネット止着具を提供する。【解決手段】紙片をスチール面等に止着するためや装飾等に用いられるマグネット止着具１であって、気体を封入して所定形状に膨出された袋状体２と、この袋状体２内を移動可能に配置されるマグネット片３とから構成される。または、液体を封入して所定形状に膨出された袋状体２と、この袋状体２内を移動可能に配置されるマグネット片３とから構成される。【選択図】  図１
2006069068.tif 000002
【特許請求の範囲】
【請求項１】
気体を封入して所定形状に膨出された袋状体と、この袋状体内を移動可能に配置されるマグネット片とからなることを特徴とするマグネット止着具。
【請求項２】
液体を封入して所定形状に膨出された袋状体と、この袋状体内を移動可能に配置されるマグネット片とからなることを特徴とするマグネット止着具。
【発明の詳細な説明】
【技術分野】
【０００１】
本発明は、マグネット止着具に関し、詳しくは、紙片をスチール面等に止着するためや装飾等に用いられるマグネット止着具に関する。
【背景技術】
【０００２】
メモ用紙などの紙片を、例えばホワイトボードや冷蔵庫表面のようなスチール面に止着する際、合成樹脂製の盤体に平板状の永久磁石を嵌め込んだものが広く一般に用いられている。
【０００３】
しかし、このような合成樹脂製の盤体に永久磁石を嵌め込んだものでは、永久磁石と盤体とが外れ易いといった問題がある。また、盤体を着色し、盤体の色彩の違いによるバリエーションを持たせることができるにとどまり、面白味がなく単調である。
【０００４】
このため、この盤体にキャラクターを付したものも提供されているが、構成が複雑になって製造コストがかかる。
【０００５】
そこで、模様印刷を施した合成樹脂製シートで永久磁石を被覆した磁石止着具が提案されている（例えば、特許文献１参照。）。
【０００６】
この磁石止着具は、模様印刷を施した合成樹脂製シートで永久磁石を被覆して止着具単体を構成し、この止着具単体をミシン目を介して連続させてなっている。そして、ミシン目で分離することにより止着具単体として用いることができるとともに、ミシン目で分離せずに複数個連続して用いて磁着力を調整することができるようにしたものである。
【特許文献１】実用新案登録第３０６７８４０号公報
【発明の開示】
【発明が解決しようとする課題】
【０００７】
しかしながら、上記した特許文献１に記載の磁石止着具では、シートに施す模様印刷の違いによるバリエーションはあるが、止着具の外形形状としては単調であって、バリエーションの幅が狭い。
【０００８】
本発明は、このような事情に鑑み創案されたもので、構成が簡単でバリエーションの幅が広いマグネット止着具を提供するものである。
【課題を解決するための手段】
【０００９】
上記の目的を達成するため、本発明に係るマグネット止着具は、気体を封入して所定形状に膨出された袋状体と、この袋状体内を移動可能に配置されるマグネット片とからなることを特徴とする。
【００１０】
この発明によれば、気体を封入して所定形状に膨出された袋状体内をマグネット片が自在に移動することができるので、マグネット止着具をホワイトボードや冷蔵庫表面のようなスチール面に近づけると、袋状体内をマグネット片がスチール面側に移動して、袋状体を介してマグネット片がスチール面に磁着する。したがって、スチール面とマグネット止着具との間にメモ用紙等を挟むことにより、メモ用紙等をスチール面に止着することができる。
【００１１】
また、メモ用紙等を挟まずに、マグネット止着具をスチール面に磁着する場合において、マグネット片が袋状体内に配置されているため、スチール面とマグネット片との間に袋状体が介在し、マグネット片が直接スチール面に接触することがない。したがって、スチール面がマグネット片により傷付くことを防止できる。
【００１２】
さらに、袋状体に気体を封入して所定形状に膨出されているため、膨らんだ種々の立体的形状のマグネット止着具を形成することができるとともに、袋状体を着色したり、袋状体に印刷を施すことにより、種々の色彩や模様のマグネット止着具を形成することができる。したがって、バリエーションの幅が広い。
【００１３】
さらにまた、気体を封入した袋状体とマグネット片で構成されているので、構成が簡単で製造コストを抑えることができる。
【００１４】
本発明は、液体を封入して所定形状に膨出された袋状体と、この袋状体内を移動可能に配置されるマグネット片とからなることを特徴とする。
【００１５】
この発明によれば、液体を封入して所定形状に膨出された袋状体内をマグネット片が自在に移動することができるので、マグネット止着具をホワイトボードや冷蔵庫表面のようなスチール面に近づけると、袋状体内をマグネット片がスチール面側に移動して、袋状体を介してマグネット片がスチール面に磁着する。したがって、スチール面とマグネット止着具との間にメモ用紙等を挟むことにより、メモ用紙等をスチール面に止着することができる。
【００１６】
また、メモ用紙等を挟まずに、マグネット止着具をスチール面に磁着する場合において、マグネット片が袋状体内に配置されているため、スチール面とマグネット片との間に袋状体が介在し、マグネット片が直接スチール面に接触することがない。したがって、スチール面がマグネット片により傷付くことを防止できる。
【００１７】
さらに、袋状体に液体を封入して所定形状に膨出されているため、膨らんだ種々の立体的形状のマグネット止着具を形成することができるとともに、封入する液体を着色することにより種々の色彩のマグネット止着具を形成することができる。したがって、バリエーションの幅が広い。
【００１８】
さらにまた、液体を封入した袋状体とマグネット片で構成されているので、構成が簡単で製造コストを抑えることができる。
【発明の効果】
【００１９】
本発明によれば、構成が簡単でバリエーションの幅が広いマグネット止着具を提供することができる。
【発明を実施するための最良の形態】
【００２０】
以下、本発明の実施の形態について、図を参照して説明する。
【００２１】
図１、および図２には、本実施形態のマグネット止着具１の全体が示されている。
【００２２】
このマグネット止着具１は、気体を封入して所定形状に膨出された袋状体２と、この袋状体２内を移動可能に配置されるマグネット片３とから構成されている。
【００２３】
袋状体２は、合成樹脂、例えば、ポリウレタン素材で、図１に示すような星型や図２に示すようなハート型、その他人形やキャラクターの形などの種々の形に形成されており、内部に空気を封入して、膨らんだ立体的形状となっている。このように、袋状体２は、例えばポリウレタンを素材として膨らんだ形状に形成されているので、弾力性のある柔らかい感触を有しており、使用者に癒しの感覚を与えることができる。
【００２４】
また、袋状体２は、種々の色彩に着色したものであってもよく、また、透明なものであってもよい。
【００２５】
さらに、袋状体２の表面に、人の顔をデザインして目や口をプリントしたり、キャラクター等をプリントしてもよい。また、広告用の文字や図柄をプリントし、販売促進用の商品としてマグネット止着具１を用いることもできる。
【００２６】
なお、袋状体２の素材は、ポリウレタンに限定されるものではなく、また内部に封入する気体も、空気に限定されるものではない。
【００２７】
マグネット片３は、ネオジウム磁石で形成されており、袋状体２の中を移動可能に構成されている。
【００２８】
なお、マグネット片３は、ネオジウム磁石に限定されるものではない。
【００２９】
また、一個に限られるものではなく、複数個のマグネット片３を袋状体２の中に配置してもよい。
【００３０】
さらに、マグネット片３を配置した袋状体２に、着色した粒状物やプリントした紙片などの装飾物を入れてもよい。この場合、装飾的効果を一層高めることができる。また、装飾物の形状や装飾物に施すプリントに趣向を凝らすことにより、販売促進用にマグネット止着具１を用いたときの広告宣伝機能を高めることもできる。
【００３１】
次に、上記構成のマグネット止着具１の使用方法を、メモ用紙４をホワイトボードや冷蔵庫表面のようなスチール面５に止着する場合を例にとって、図３を参照しながら説明する。
【００３２】
使用者は、メモ用紙４をスチール面５の表面に重ねるように配置して、マグネット止着具１をメモ用紙４の上からスチール面５に近づける。
【００３３】
こうすると、袋状体２の中をマグネット片３がスチール面５側に移動して、マグネット片３がメモ用紙４を挟んだ状態で袋状体２を介してスチール面５に磁着し（図３参照）、メモ用紙４がスチール面５に止着される。
【００３４】
なお、このマグネット止着具１は、上記のようにメモ用紙４をスチール面５に止着させて使用する以外にも、種々の使い方ができる。
【００３５】
例えば、複数個のマグネット止着具１をスチール面５に所望の形状に並べて、模様を作成して楽しんだり、２個のマグネット止着具１同士を互いに付着させるなどの楽しみ方がある。また、スチール面５に的を描いて、マグネット止着具１をこの的を目掛けて投げて遊ぶといったゲームとしての使い方のほか、スチール面５に所定個数のマグネット止着具１を並べて、幼児に数を教える知育玩具としての使い方もできる。
【００３６】
次に、本発明のマグネット止着具１の他の実施形態について説明する。
【００３７】
この実施形態に係るマグネット止着具１は、上記構成のマグネット止着具１において、袋状体２の中に液体を封入した点が特徴であって、他の構成は上記と同様である。したがって、同一の構成については詳細な説明を省略する。
【００３８】
袋状体２の中には、例えば脂肪酸トリグリセライドのような、誤って体内に摂取された場合であっても人体に害を及ぼすことがない液体を封入している。
【００３９】
なお、この液体に、食用着色料を用いて、種々の色彩に着色してもよい。
【００４０】
また、生地の厚いポリウレタン素材で袋状体２をボール状に形成し、脂肪酸トリグリセライドを封入して握力増強のためなどに用いる健康器具としてもよい。この場合、袋状体２内にマグネット片３が配置されていることから、スチール面５に止着して容易に保管することができるとともに、紛失を防止することができる。
【００４１】
以上説明したように、本発明のマグネット止着具１は、家庭やオフィスで種々の使い方をすることができるとともに、販売促進商品とするなど、幅広い用途に用いることができる。
【産業上の利用可能性】
【００４２】
本発明は、構成が簡単でバリエーションの幅が広いマグネット止着具に適用できる。
【図面の簡単な説明】
【００４３】
【図１】本発明に係るマグネット止着具を示す平面図である。
【図２】本発明に係るマグネット止着具の他の形状を示す平面図である。
【図３】本発明に係るマグネット止着具の止着方法を説明する図である。
【符号の説明】
【００４４】
１      マグネット止着具
２      袋状体
３      マグネット片
４      メモ用紙
５      スチール面
【図１】
2006069068.tif 000003
【図２】
2006069068.tif 000004
【図３】
2006069068.tif 000005